(57)【要約】      （修正有）【課題】高コストでなく、且つ１ｍを超える広いウェブ遊間の止水が可能な遊間用止水材を提供すること。【解決手段】上側の保護層１、中程の止水材層２、下側の支持材層３を順に積み重ねて接着一体化して成る遊間用止水材において、支持材層２における遊間幅方向の両端に端柱材３０，３１を、前記端柱材３０，３１相互間に中柱材３２を、それぞれ体積変化を起こしにくい部材で構成して配置すると共に中柱材３２の少なくとも上端部を止水機能を有する部材で構成してあり、前記止水材層２を遊間幅方向に配置した複数枚のエラストマーシート２０，２１・・・で構成すると共に対向するエラストマーシート２０，２１の端部を中柱材３２の上端に接着してある。【選択図】  図２
2005120780.tif 000002
【特許請求の範囲】
【請求項１】
上側の保護層、中程の止水材層、下側の支持材層を順に積み重ねて接着一体化して成る遊間用止水材において、支持材層における遊間幅方向の両端に端柱材を、前記端柱材相互間に中柱材を、それぞれ体積変化を起こしにくい部材で構成して配置し、前記止水材層を遊間幅方向に配置した複数枚のエラストマーシートで構成すると共に前記エラストマーシートの対向する端部相互を水密状態に接着し、前記エラストマーシート相互の接着部分を中柱材に接着してあることを特徴とする遊間用止水材。
【請求項２】
上側の保護層、中程の止水材層、下側の支持材層を順に積み重ねて接着一体化して成る遊間用止水材において、支持材層における遊間幅方向の両端に端柱材を、前記端柱材相互間に中柱材を、それぞれ体積変化を起こしにくい部材で構成して配置すると共に中柱材の少なくとも上端部を止水機能を有する部材で構成してあり、前記止水材層を遊間幅方向に配置した複数枚のエラストマーシートで構成すると共に対向するエラストマーシートの端部を中柱材の上端に接着してあることを特徴とする遊間用止水材。
【請求項３】
中柱材は、独立気泡フォーム又は高弾性連続気泡フォームで構成されていることを特徴とする請求項１記載の遊間用止水材。
【請求項４】
中柱材の少なくとも上端部は独立気泡フォームで構成されていることを特徴とする請求項２記載の遊間用止水材。
【請求項５】
支持材層における、端柱材と中柱材との間には連続気泡フォームで構成された伸縮部が形成されていることを特徴とする請求項１乃至４のいずれかに記載の遊間用止水材。
【請求項６】
止水材層が、予め連続した波状に成形されたエラストマーシートから成る請求項１乃至５のいずれかに記載の遊間用止水材。
【発明の詳細な説明】
【技術分野】
【０００１】
この発明は、遊間からの雨水の落下を防止するための遊間用止水材に関するものである。
【背景技術】
【０００２】
橋梁や高架道路などには温度変化に起因する膨張や収縮が生ずるため、一定間隔毎に遊間が設けられており、前記遊間にはフィンガージョイントが配置されていると共に当該ジョイントの真下部分には遊間用止水材が設置されている。
【０００３】
この種の遊間用止水材は、上側の保護層、中程の止水材層、下側の支持材層を順に積み重ねて接着一体化して成り、前記支持材層を、一対の縦長の独立気泡フォーム部と、前記独立気泡フォーム部相互間に固着一体された伸縮部とを有するものとしてある。ここで、止水材層は、例えば０．４ｍｍ程度の薄いシート状のものであり、この止水材層により実質的にウェブ遊間からの雨水等の落下を防止できる（例えば、特許文献１。）。
【０００４】
ところで、近年、橋梁や高架道路では、主として大地震の振動に対応させるべく、１ｍを超える広い幅のウェブ遊間に設置される遊間用止水材の開発が開始されている。
【特許文献１】特開２００２−１５５５８１号公報  しかしながら、遊間用止水材の開発において、幅が１ｍを超える上記止水材層を形成することは技術的に困難であり、たとえこのような止水材層ができるとしても非常に高コストになってしまうと考えられる。
【発明の開示】
【発明が解決しようとする課題】
【０００５】
そこで、この発明では、高コストでなく、且つ１ｍを超える広いウェブ遊間の止水が可能な遊間用止水材を提供することを課題とする。
【課題を解決するための手段】
【０００６】
（請求項１記載の発明）
この発明の遊間用止水材は、上側の保護層、中程の止水材層、下側の支持材層を順に積み重ねて接着一体化して成る遊間用止水材において、支持材層における遊間幅方向の両端に端柱材を、前記端柱材相互間に中柱材を、それぞれ体積変化を起こしにくい部材で構成して配置し、前記止水材層を遊間幅方向に配置した複数枚のエラストマーシートで構成すると共に前記エラストマーシートの対向する端部相互を水密状態に接着し、前記エラストマーシート相互の接着部分を中柱材に接着してある。
（請求項２記載の発明）
この発明の遊間用止水材は、上側の保護層、中程の止水材層、下側の支持材層を順に積み重ねて接着一体化して成る遊間用止水材において、支持材層における遊間幅方向の両端に端柱材を、前記端柱材相互間に中柱材を、それぞれ体積変化を起こしにくい部材で構成して配置すると共に中柱材の少なくとも上端部を止水機能を有する部材で構成してあり、前記止水材層を遊間幅方向に配置した複数枚のエラストマーシートで構成すると共に対向するエラストマーシートの端部を中柱材の上端に接着してある。
（請求項３記載の発明）
この発明の遊間用止水材は、上記請求項１記載の発明に関し、中柱材は、独立気泡フォーム又は高弾性連続気泡フォームで構成されている。
（請求項４記載の発明）
この発明の遊間用止水材は、上記請求項２記載の発明に関し、中柱材の少なくとも上端部は独立気泡フォームで構成されている。
（請求項５記載の発明）
この発明の遊間用止水材は、上記請求項１乃至４のいずれかに記載の発明に関し、支持材層における、端柱材と中柱材との間には連続気泡フォームで構成された伸縮部が形成されている。
（請求項６記載の発明）
この発明の遊間用止水材は、上記請求項１乃至５のいずれかに記載の発明に関し、止水材層が、予め連続した波状に成形されたエラストマーシートから成る。
【発明の効果】
【０００７】
この発明により、高コストでなく、且つ１ｍを超える広い遊間の止水が可能な遊間用止水材を提供できた。
【発明を実施するための最良の形態】
【０００８】
以下にこの発明の遊間用止水材を実施するための最良の形態としての実施例について詳細に説明する。
【０００９】
図１はこの発明の実施形態の遊間用止水材Ａが橋桁Ｈ, Ｈ相互間のウェブ遊間Ｕに設置された状態を示す斜視図、図２は前記遊間用止水材Ａを示す断面図を示している。
（この遊間用止水材Ａの施工例）
この遊間用止水材Ａは、図１に示すように、橋桁Ｈ，Ｈに設置されたフィンガージョイントＦにおけるフィンガープレートｆ１，ｆ１の下方であって脚部ｆ２，ｆ２相互間に配置され、両端部が接着剤により脚部ｆ２，ｆ２の内側面に接着される態様で取り付けられる。なお、図示していないが脚部ｆ２，ｆ２はアンカーにより橋桁Ｈ，Ｈに強固に固定されている。
【００１０】
ここで、この実施例では、橋桁Ｈ，Ｈ相互の間隙であるウェブ遊間Ｕは１．４ｍに設定されたものであり、遊間用止水材Ａは遊間方向の幅は外力が作用しない状態において２．０ｍに設定されている。
（この遊間用止水材Ａの基本的構成について）
この遊間用止水材Ａは図１や図２に示すように、上側の保護層１、中程の止水材層２、下側の支持材層３を順に積み重ねて接着一体化したものであり、前記支持材層３における遊間幅方向の両端に端柱材３０，３１を、前記端柱材３０，３１相互間に中柱材３２を、それぞれ体積変化を起こしにくい部材で構成して配置し、前記止水材層２を幅方向左右二枚のエラストマーシート２０，２１で構成すると共に前記左右のエラストマーシート２０，２１の対向する端部をそれぞれ中柱材３２の上端部に水密状態に接着してある。そして、前記中柱材３２と端柱材３０、中柱材３２と端柱材３１との間には、ぞれぞれ連続気泡フォームで構成された伸縮部３３が形成されている。
【００１１】
なお、この実施例では、図１や図２に示すように、上記した保護層１の上に補強繊維４及び不燃層５を接着剤により積層一体化してある。
（保護層１の構成について）
保護層１は、伸縮に対して変形しやすいポリエチレン製の連続気泡フォームから構成されており、その性状は、密度０．０３ｇ／ｃｍ3 （ＪＩＳ  Ｋ  ６７６７）、５０％圧縮強さ０．００５ＭＰａ（ＪＩＳ  Ｋ  ６７６７準拠）としてある。
（止水材層２の構成について）
止水材層２は、上記支持材層３よりも低弾性のエラストマーシート (常温において弾性を有するゴムや樹脂であって、例えば、ゴムシート、ウレタンシート、シリコンシート等を含む）から形成されており、その収縮時には大きな凹みが形成されることなく支持材層３に追随して連続した波状に変形するようにしてある。したがって、支持材層３との接着面に剪断力がかかりにくいと共に、伸縮方向の変形に対する自由度が高いものとなる。この実施形態では止水材層２として、クロロプレンゴムを使用しており、その性状は、厚さ０．４ｍｍ、硬度５０度（ＪＩＳ  Ａ）、引張強度１６Ｎ／ｍｍ2 、伸び４５０％としてある。
【００１２】
ここで、この止水材層２を構成するエラストマーシート２０，２１は、ウェブ遊間Ｕの幅方向の長さを各々１．０ｍに設定してあり、対向する内端部相互の間隔は０ｍｍとしてある。
（支持材層３の構成について）
支持材層３の端柱材３０，３１、及び中柱材３２の上端部３２ａは、独立気泡フォームで構成されており、その性状は、硬度２０度（タイプＣ、ＳＲＩＳ  ０１０１）、引張強度０．６ＭＰａ、吸水率５％以下のものとしてある。
【００１３】
したがって、端柱材３０，３１、及び中柱材３２の上端部３２ａは、体積変化を起こしにくい高弾性のものとなっている。
【００１４】
中柱材３２の下部３２ｂは、高弾性連続気泡フォームで構成されており、その性状は、密度８５ｋｇ／ｍ3 、硬さ４００Ｎ（ＪＩＳ  Ｋ  ６４００準拠）としてある。
【００１５】
したがって、中柱材３２は全体として体積変化を起こしにくく且つ保形性が高い高弾性となっている。
【００１６】
上記端柱材３０，３１と中柱材３２との間に設けられている伸縮部３３は、交互に配置された弾性率が異なる連続気泡ウレタンフォーム製の伸縮部３３ａと伸縮部３３ｂを接着一体化されたものであり、一方の伸縮部３３ａの性状は密度２２ｋｇ／ｍ3 （ＪＩＳ  Ｋ  ６４００準拠）、硬度６０Ｎ（ＪＩＳ  Ｋ  ６４００準拠）としてあり、他方の伸縮部３３ｂの性状は密度２６ｋｇ／ｍ3 （ＪＩＳ  Ｋ  ６４００準拠）、硬度１５０Ｎ（ＪＩＳ  Ｋ  ６４００準拠）としてある。
（補強繊維４及び不燃層５の構成について）
補強繊維４は、止水材層２の保護機能を向上させるべく設けてあるもので、その構成はナイロン製の繊維で、性状は引張強さ２６０Ｎ、伸び２５０％としてある。
【００１７】
不燃層５は、道路上で落下物等が炎上した際も止水材層２が損傷するのを防止すべく設けてあるもので、プラスチック発泡体製で、引張強さ１２０ｋＰａ、伸び６０％としてある。
（この遊間用止水材Ａの優れた点について）
この遊間用止水材Ａでは、止水材層２を幅方向左右二枚のエラストマーシート２０，２１で構成すると共に前記左右のエラストマーシート２０，２１の対向する端部を中柱材３２の上端（止水機能を有する）に接着する構成を採っているから、エラストマーシート２０，２１の幅が従来から使用している１ｍのものを利用でき、その結果、高コストにはならない。
【００１８】
また、この遊間用止水材Ａでは、止水材層２を幅方向左右二枚のエラストマーシート２０，２１で構成すると共に前記左右のエラストマーシート２０，２１の内端部を中柱材３２の上端（止水機能を有する）に接着する構成を採っているから、遊間用止水材Ａはウェブ遊間Ｕの幅方向全域において止水効果を奏するものとなるので、１ｍを超える広い遊間の止水が可能である。なお、左右のエラストマーシート２０，２１の内端部が水密状態に接着される中柱材３２は、全体として体積変化を起こしにくく且つ保形性が高い高弾性となっているから、ウェブ遊間Ｕの変化に対して短期間で中柱材３２からエラストマーシート２０，２１が剥離するようなことはない。
（その他）
上記実施例において、止水材層２を遊間幅方向においてＮ枚（Ｎは自然数）のエラストマーシートで構成させる場合、端柱材３０，３１相互間に設けられる中柱材３２は（Ｎ−１）個（Ｎは自然数）とし、隣り合うエラストマーシートの対向端を１つの中柱材３２にそれぞれ水密状態に接着すればよい。
【００１９】
上記実施例において、中柱材３２の上端部３２ａは、独立気泡フォームで構成されているが、上端部３２ａはエラストマーシート２０，２１と同じ又は同等のエラストマーシートで構成してもよい。また、中柱材３２全体又は少なくとも上端部のみを独立気泡フォームで構成してもよい。
【００２０】
上記実施例において、伸縮部３３は、交互に配置された弾性率が異なる連続気泡フォーム製の伸縮部３３ａと伸縮部３３ｂとを接着一体化して成るものとしているが、一種類のの連続気泡フォームで構成させるようにしてもよい。
【００２１】
上記実施例において、隣り合うエラストマーシート２０，２１の対向する端部を中柱材３２の上端（止水機能を有する）にそれぞれ接着する構成を採っているが、図３に示すように、隣り合うエラストマーシート２０，２１の端部相互を重ね合わせて接着し、この重ね合わせ接着した部分を中柱材３２の上端に接着する構成を採ってもよい。また、図４に示すように、隣り合うエラストマーシート２０，２１の対向する端部を垂下させるべく折り曲げると共に前記折り曲げ部分相互を接着し、接着された折り曲げ部分を二つの中柱材３２，３２で挟持（接着）する構成を採ってもよい。
【００２２】
上記実施例において、端柱材３０，３１の外側面に図５に示すように、連続気泡フォーム層６を設け、この連続気泡フォーム層６を脚部ｆ２，ｆ２の内側面への接着面としてもよい。この構成を採った場合、連続気泡フォーム層６に接着剤をしみ込ませることにより設置時の接着剤不足が防止される。なお、連続気泡フォーム層６は、密度５５ｋｇ／ｍ3 （ＪＩＳ  Ｋ  ６４００準拠）、引張強度１６０ｋＰａ（ＪＩＳ  Ｋ  ６４００準拠）としてある。
【００２３】
上記実施例にかえて、図６に示すように、各エラストマーシート２０，２１の外端部を折り曲げ、端柱材３０，３１の上面及び外側面を覆った状態で接着した構成としてもよい。なお、この形態とした場合には、端柱材３０，３１は独立気泡フォームの他、高弾性連続気泡フォームで構成させたものでもよい。
【００２４】
上記実施例にかえて、補強繊維４及び不燃層５を設けず、最上層を保護層１としてもよい。
【００２５】
上記実施例にかえて、止水材層２が、予め連続した波状に成形されたエラストマーシートから成るものとすることができる。
【図面の簡単な説明】
【００２６】
【図１】この発明の実施例の遊間用止水材が橋桁相互間のウェブ遊間に設置された状態を示す斜視図。
【図２】前記遊間用止水材を示す断面図。
【図３】隣り合うエラストマーシートの対向する端部相互を重ね合わせて接着し、この重ね合わせ接着した部分を中柱材の上端に接着した遊間用止水材の断面図。
【図４】隣り合うエラストマーシートの対向する端部を垂下させるべく折り曲げると共に前記折り曲げ部分相互を接着し、接着された折り曲げ部分を二つの中柱材で挟持（接着）する遊間用止水材の断面図。
【図５】端柱材の外側面に連続気泡フォーム層を設け、この連続気泡フォーム層を脚部の内側面への接着面とした遊間用止水材の断面図。
【図６】各エラストマーシートの外端部を折り曲げ、端柱材の上面及び外側面を覆った状態で接着した遊間用止水材の断面図。
【符号の説明】
【００２７】
Ｕ      ウェブ遊間（遊間）
Ｈ      橋桁
Ａ      遊間用止水材
１      保護層
２      止水材層
３      支持材層
４      補強繊維
５      不燃層
２０    エラストマーシート
２１    エラストマーシート
３０    端柱材
３１    端柱材
３２    中柱材
３３    伸縮部
３３ａ  伸縮部
３３ｂ  伸縮部
【図１】
2005120780.tif 000003
【図２】
2005120780.tif 000004
【図３】
2005120780.tif 000005
【図４】
2005120780.tif 000006
【図５】
2005120780.tif 000007
【図６】
2005120780.tif 000008